(57)【要約】      （修正有）【課題】構造がより堅固で信頼性が高く、しかもかかとの快適性を大幅に高めることができる呼吸機能を備えたエアクッションヒールを提供する。【解決手段】呼吸機能を備えたエアクッションヒールは、靴アウトソール２０かかと位置の凹槽２１内にエアチューブ３０を設置し、エアチューブ３０は、外形輪郭が、凹槽２１と概ね一致するパネル３１を備える。さらに、パネル３１下方には、複数の蛇腹チューブ部３２を一体に下方へと延伸し、別にチューブ部３２には、進気通道２２へと進入する吸気導管３３、及び排気孔２３に進入する少なくとも１個の排気導管３４を連接する。使用時には、エアチューブ３０が繰り返し圧縮/拡張されることで、連続呼吸効果を生じ、これにより靴内の空気は外界と流通し、熱がこもることはなく、複数の蛇腹チューブ部３２は、エアチューブ３０の弾性回復力を効果的に向上させる。【選択図】図３
0003182014.tif 000002
【実用新案登録請求の範囲】
【請求項１】
呼吸機能を備えたエアクッションヒールは、靴アウトソール、エアチューブを備え、
前記靴アウトソールは、かかと位置に、エアチューブを収容して設置する凹槽を設置し、前記靴アウトソール前側には、前記凹槽へと貫通する進気通道を設置し、しかも前記靴かかと側辺には、前記凹槽へと貫通する少なくとも１個の排気孔を設置し、
前記エアチューブは、前記凹槽中に設置し、外形輪郭が、前記凹槽と概ね一致するパネルを備え、前記パネル下方には、複数の蛇腹を呈するチューブ部を一体に下方へと延伸し、別に前記チューブ部には、進気通道へと進入する吸気導管、及び排気孔に進入する少なくとも１個の排気導管を連接することを特徴とする呼吸機能を備えたエアクッションヒール。
【請求項２】
前記エアチューブは、前記チューブ部の裾部分に、前記チューブ部へと入り込む複数の湾曲セクションを形成することを特徴とする請求項１に記載の呼吸機能を備えたエアクッションヒール。
【請求項３】
前記靴アウトソールは、前記凹槽内壁に、前記湾曲セクションと対応する凸部を設置することを特徴とする請求項１に記載の呼吸機能を備えたエアクッションヒール。
【考案の詳細な説明】
【技術分野】
【０００１】
本考案は靴の構造に係わり、特に呼吸機能を備えたエアクッションヒールに関する。
【背景技術】
【０００２】
人類は、二本足で直立して歩行する多関節骨格構造を備えるため、体重と負荷のすべては、両足により支えられている。両足は重さを支える他に歩行、走行時の踏み込む力、或いはバランス力、振動衝撃吸収、推進力、平衡感覚をつかさどる。よって、関連する運動、或いは屋外活動を行う際には、適当な履物により、両足に充分な保護を提供する必要がある。
【０００３】
しかし、靴を履いている足が発生する熱は、効果的に排出できないため、足部は汗をかき、しかもそれは靴内に封鎖される。これによって発生する異臭は、非常に不快なものである。そのため、靴内の乾燥を保ち、靴内の温度を低下させる手段の設計は、靴製造業界において多く見られる。
【０００４】
特許文献１に示す「エアクッション靴」は、靴アウトソールのかかと位置にエアチューブを増設し、空気を入れ替えるための動力源としている。図１に示すように、特許文献１の構造は、靴中敷１１、靴中底１２、靴アウトソール１３により、靴底１０を組成する。しかも、靴アウトソール１３のかかと位置には、凹槽１３１を設置し、凹槽１３１内には、エアチューブ１４を設置する。
【０００５】
エアチューブ１４は、靴アウトソール１３前側の複数の通道１３２に連接する吸気導管１４１、及び靴アウトソール１３かかと側辺の通気孔に連接する排気導管１４２を備える。歩行時には、靴のかかと位置に対して繰り返し圧縮/拡張の動作が行われるが、これにより靴内の空気は、吸気導管１４１によりエアチューブ１４に吸入され、排気導管１４２から導出される。
こうして、靴内の空気は、外界と流通し、熱がこもる状況は発生しない。
【０００６】
上記した特許文献１の構造は、呼吸機能を備えるが、エアチューブ１４のチューブ体は、圧力に抵抗するための補強設計をもたないため、長く使用すると、陥没して変形しやすい。これでは、呼吸して空気を入れ替える効果を達成できないばかりか、陥没変形後のエアチューブ１４は、全体の高さが縮むことで、使用者の歩行時に、かかとが支えを失い、かぱかぱするような不快感を生じてしまう。
【先行技術文献】
【特許文献】
【０００７】
【特許文献１】台湾実用新案第M377886UI号明細書
【考案の概要】
【考案が解決しようとする課題】
【０００８】
本考案が解決しようとする課題は、構造がより堅固で信頼性が高く、しかもかかとの快適性を大幅に高めることができる呼吸機能を備えたエアクッションヒールを提供することである。
【課題を解決するための手段】
【０００９】
上記課題を解決するため、本考案は下記の呼吸機能を備えたエアクッションヒールを提供する。呼吸機能を備えたエアクッションヒールは、靴アウトソール、エアチューブを備え、該靴アウトソールは、かかと位置に、エアチューブを収容して設置する凹槽を設置し、該靴アウトソール前側には、該凹槽へと貫通する進気通道を設置し、しかも該靴かかと側辺には、該凹槽へと貫通する少なくとも１個の排気孔を設置する。
該エアチューブは、該凹槽中に設置し、外形輪郭が、該凹槽と概ね一致するパネルを備え、該パネル下方には、複数の蛇腹を呈するチューブ部を一体に下方へと延伸し、別に、該チューブ部には、進気通道へと進入する吸気導管、及び排気孔に進入する少なくとも１個の排気導管を連接する。
【００１０】
使用時には、該エアチューブが繰り返し圧縮/拡張されることで、連続呼吸効果を生じ、これにより靴内の外界と流通し、熱がこもることはなく、また、該複数の蛇腹チューブ部は、該エアチューブの弾性回復力を効果的に向上させ、これにより呼吸/空気入れ替え効率を高めることがき、こうして、長く使用することで、該エアチューブに弾性疲労が発生し、陥没する欠点を回避することができる。
【００１１】
該エアチューブは、該チューブ部において、該靴アウトソール前側方向に相対し、吸気導管に連接する第一空気出入口を設置し、別に該チューブ部には、かかと側辺に相対し、排気導管に連接する第二空気出入口を設置する。
【００１２】
該エアチューブは、該チューブ部の裾部分に、該チューブ部へと入り込む複数の湾曲セクションを形成し、該靴アウトソールは、該凹槽内壁に、該湾曲セクションと対応する凸部を設置し、これにより該チューブ部の構造強度と定位効果を拡大することができる。
該靴アウトソールは、前側位置に、進気通道と連接する複数の延伸通道を設置する。
【考案の効果】
【００１３】
本考案の呼吸機能を備えたエアクッションヒールは、構造がより堅固で信頼性が高く、しかもかかとの快適性を大幅に高めることができる。
【図面の簡単な説明】
【００１４】
【図１】従来の呼吸機能を備えたエアクッションヒールの構造分解図である。
【図２】本考案第一実施例の外観図である。
【図３】本考案第一実施例の分解図である。
【図４】本考案第一実施例の断面図である。
【図５】本考案第一実施例のエアチューブ構造図である。
【図６】本考案第二実施例のエアチューブ構造図である。
【考案を実施するための形態】
【００１５】
本考案第一実施例の外観図である図２、本考案第一実施例の分解図である図３、本考案第一実施例の断面図である図４に示すように、本考案は、靴アウトソール２０、エアチューブ３０を備える。
【００１６】
靴アウトソール２０は、かかと位置に、エアチューブ３０を収容して設置する凹槽２１を設置する。靴アウトソール２０前側には、凹槽２１へと貫通する進気通道２２を設置する。しかも、靴かかと側辺には、凹槽２１へと貫通する少なくとも１個の排気孔２３を設置する。
【００１７】
エアチューブ３０は、靴アウトソール２０の凹槽２１中に設置し、外形輪郭が、凹槽２１と概ね一致するパネル３１を備える。パネル３１下方には、複数の蛇腹を呈するチューブ部３２を一体に下方へと延伸する。別に、チューブ部３２には、進気通道２２へと進入する吸気導管３３、及び排気孔２３に進入する少なくとも１個の排気導管３４を連接する。
【００１８】
使用時には、エアチューブ３０が繰り返し圧縮/拡張されることで、連続呼吸効果を生じる。これにより、靴内の空気は流れ、熱がこもることはない。特に、エアチューブ３０の蛇腹設計を利用し、エアチューブ３０の弾性回復力を効果的に向上させ、これにより呼吸/空気入れ替え効率を高めることができる。こうして、長く使用することで、エアチューブ３０に弾性疲労が発生し、陥没する欠点を回避することができる。
【００１９】
実施時には、少なくとも１個の排気導管３４を設置することができる。図２〜５に示す構造では、１個の排気導管３４を実施例とする。エアチューブ３０は、チューブ部３２において、靴アウトソール２０前側方向に相対し、吸気導管３３に連接する第一空気出入口３２１を設置し、別に、チューブ部３２には、かかと側辺に相対し、排気導管３４に連接する第二空気出入口３２２を設置する。
【００２０】
図６は、１個或いは、２個の排気導管を設置するエアチューブ３０設計を示す。本実施例では、エアチューブ３０は、チューブ部３２において、靴アウトソール２０前側方向に相対し、吸気導管３３に連接する第一空気出入口３２１を設置し、別に、チューブ部３２には、かかと両側辺に相対し、それぞれ排気導管３４に連接する第二空気出入口３２２を設置し、２個の排気口を提供する。
【００２１】
図２、５に示すように、エアチューブ３０は、チューブ部３２の裾部分に、チューブ部３２へと入り込む複数の湾曲セクション３２３を形成する。靴アウトソール２０は、凹槽２１内壁に、湾曲セクション３２３と対応する凸部２１１を設置し、これによりチューブ部３２の構造強度と定位効果を拡大することができる。
【００２２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００２３】
１０  靴底
１１  靴中敷
１２  靴中底
１３  靴アウトソール
１３１  凹槽
１３２  通道
１４  エアチューブ
１４１  吸気導管
１４２  排気導管
２０  靴アウトソール
２１  凹槽
２１１  凸部
２２  進気通道
２２１  延伸通道
２３  排気孔
３０  エアチューブ
３１  パネル
３２  チューブ部
３２１  第一空気出入口
３２２  第二空気出入口
３２３  湾曲セクション
３３  吸気導管
３４  排気導管
【図１】
0003182014.tif 000003
【図２】
0003182014.tif 000004
【図３】
0003182014.tif 000005
【図４】
0003182014.tif 000006
【図５】
0003182014.tif 000007
【図６】
0003182014.tif 000008